(57)【要約】【課題】  パイプ等の棒状部材に、取付けたい部品を容易で確実に固定できるパイプ巻付結合具を提供する。【解決手段】  本体１の両端部に側方が開放している２つのＣ字形巻付け部２、３が双方の間にパイプ等の棒状部材Ｂが入る空間部５を有した位置にそれぞれが逆向きに設置されている。空間部５に棒状部材Ｂを入れた状態で、双方のＣ字型巻付け部２、３の開放部６、７より棒状部材Ｂが内側１０に入り込む方向に本体１を回転させることで、棒状部材Ｂが２つのＣ字型巻付け部２、３の内側１０に挿入されて、全体が棒状部材Ｂに巻付いた状態で固定される。パイプ巻付結合具と取付けたい部品とは一体構造もしくは取付けピン等により接続し、回転できる構造とする。【選択図】図１
2007020905.tif 000002
【特許請求の範囲】
【請求項１】
本体の両端部に側方が開放している２つのＣ字形巻付け部が、双方の間にパイプ等の棒状部材が入る空間部を有した位置にそれぞれが逆向きに設置され、その空間部に棒状部材を入れた状態で、双方のＣ字型巻付け部の開放部より棒状部材が内側部分に入り込む方向に本体を回転させることによって、棒状部材が２つのＣ字型巻付け部の内側部分に挿入されて、全体が巻付いた状態で棒状部材に固定されることを特徴とするパイプ巻付結合具。
【請求項２】
棒状部材の軸線方向から見た上記Ｃ字型巻付け部の内径は、棒状部材の外径と同等もしくはわずかに小さく、その先端部は棒状部材の中心と本体の中心を通る直線よりも開放部側に位置し、開放部は内径よりさらに小さくしたことと、棒状部材の軸線方向から見た場合では、全体が筒状としたことにより、棒状部材に密着して巻付いた状態で固定されることを特徴とする請求項１に記載するパイプ巻付結合具。
【請求項３】
請求項１に記載するパイプ巻付結合具と取付けたい部品の接続は、パイプ巻付結合具の接続部が棒状部材に取付けたい部品と一体構造であるか、もしくは取付けピン等により回転できる状態にて取付けられていることを特徴とするパイプ巻付結合具。
【請求項４】
請求項１のパイプ巻付結合具の本体と、もう１つのパイプ巻付結合具の本体が一体構造もしくは、取付けピン等により回転できる状態にて取付けることにより、棒状部材に他の棒状部材を固定することが出来ることを特徴とするパイプ巻付結合具。
【請求項５】
請求項１のパイプ巻付結合具を物干し竿等のパイプに洗濯物を干すための器具等を吊り下げて取付ける場合、パイプ巻付結合具の連結部にグリップ部を一体構造として構成し、そのグリップ部の下部に直接洗濯物を干すための器具等を取付けるか、取付けピン等を使用することにより、回転できる状態にて洗濯物を干すための器具等を取付けることを特徴とするパイプ巻付結合具。
【発明の詳細な説明】
【技術分野】
【０００１】
本発明は、例えば、物干し竿に洗濯物を干すための器具を固定して取付ける場合や、パイプ等の棒状部材に他の棒状部材を固定する場合など、パイプ等の棒状部材に取付けたい部品を固定するための結合具に関するものである。
【背景技術】
【０００２】
従来の技術には物干し竿に洗濯物を干すための器具を掛ける技術としてハンガータイプの固定具を改良したタイプがある（例えば、特許文献１参照）。
【０００３】
このような物干し具を使用すれば、物干し竿から外れにくい物干し具とすることができる。
【特許文献１】特開２００４−９７６６６号公報（第５頁、図２）
【発明の開示】
【発明が解決しようとする課題】
【０００４】
上記特許文献１の物干し具は、風ではずれない程度にてパイプに取付けることは出来ても、確実に固定してしまうことが出来なかった。
また、パイプ等の棒状部材に他の棒状部材を固定することは出来なかった。
【０００５】
この発明の目的は、以上のような問題を解決するだけではなく、パイプ等の棒状部材に、取付けたい部品や他の棒状部材を容易で確実に、また、様々な角度で固定できるパイプ巻付結合具を提供することにある。
【課題を解決するための手段】
【０００６】
上記目的を達成するために、請求項１のパイプ巻付結合具は、本体の両端部に側方が開放している２つのＣ字形巻付け部が、双方の間にパイプ等の棒状部材が入る空間部を有した位置にそれぞれが逆向きに設置され、その空間部に棒状部材を入れた状態で、双方のＣ字型巻付け部の開放部より棒状部材が内側部分に入り込む方向に本体を回転させることによって、棒状部材が２つのＣ字型巻付け部の内側部分に挿入されて、全体が巻付いた状態で棒状部材に固定されることを特徴とする。
【０００７】
請求項２のパイプ巻付結合具は、請求項１のパイプ巻付結合具において、棒状部材の軸線方向から見た上記Ｃ字型巻付け部の内径は、棒状部材の外径と同等もしくはわずかに小さく、その先端部は棒状部材の中心と本体の中心を通る直線よりも開放部側に位置し、開放部を内径よりさらに小さくしたことと、棒状部材の軸線方向から見た場合では筒状としたことにより、棒状部材に密着して巻付いた状態で固定されることを特徴とする。
【０００８】
請求項１のパイプ巻付結合具を使用して取付けたい部品を棒状部材に取付ける場合は、その部品とパイプ巻付結合具の本体が一体構造もしくは取付けピン等により回転できる状態にて取付けられている構造とする。
【０００９】
棒状部材に他の棒状部材を固定する場合、パイプ巻付結合具の本体と、もう１つのパイプ巻付結合具の本体が一体構造もしくは取付けピン等により回転できる状態にて取付ける構造とする。
【発明の効果】
【００１０】
請求項１のパイプ巻付結合具を使用して取付けたい部品を棒状部材に固定する場合は、パイプ巻付結合具の空間部に棒状部材を入れて回す作業のみとなるため、片手での取付けが可能であるにもかかわらず、巻付いた状態にて固定されているため、離脱してしまう可能性は非常に低くなる。
【００１１】
請求項１のパイプ巻付結合具は取付けたい部品との接続を取付けピン等により回転できる構造体として棒状部材に固定した場合、パイプ巻付結合具を棒状部材に固定するために回転させた方向と逆回転、つまりパイプ巻付結合具と棒状部材が離脱する方向の回転応力が作用した場合、回転応力は連結部が回転することによって吸収され、パイプ巻付き結合具と棒状部材の間に回転応力は作用されなくなることで、離脱する可能性はさらに低くなる。
【発明を実施するための最良の形態】
【００１２】
次に、本発明の実施形態について図面を参照して説明する。図１乃至図３は、本発明のパイプ巻付結合具を2つ取付けて棒状部材Ｂに他の棒状部材を固定する場合の図である。
【００１３】
本体１の両端部に側方が開放している２つのＣ字形巻付け部２、３が双方の間にパイプ等の棒状部材Ｂが入る空間部５を有した位置にそれぞれが逆向きに設置されている。
【００１４】
空間部５に棒状部材Ｂを入れた状態（図２参照）で、双方のＣ字型巻付け部２、３の開放部６、７より棒状部材Ｂが内側部分１０に入り込む方向に本体１を回転させることで、棒状部材Ｂが２つのＣ字型巻付け部２、３の内側部分１０に挿入されて、全体が巻付いた状態（図１参照）で棒状部材Ｂに固定される。
【００１５】
棒状部材Ｂの軸線方向から見た上記Ｃ字型巻付け部（図４参照）の内径Ｒ１は、棒状部材Ｂの外径と同等もしくはわずかに小さく、その先端部８、９は棒状部材Ｂの中心Ｒ０と本体１の中心を通る直線Ｖよりも開放部６、７側に位置している。また、双方が逆向きに設置されているため、同じ方向から見た場合（図４参照）では、パイプ巻付結合具は筒状となっており、開放部がない状態であるため棒状部材を包み込む効果が高い。
【００１６】
棒状部材Ｂに他の棒状部材Ｂを固定する場合、パイプ巻付結合具の本体１と、もう１つのパイプ巻付結合具の本体１が一体構造もしくは取付けピン１１等により回転できる状態にて取付ける構造とするが、棒状部材ＢにＣ字型巻付け部２、３が入り込む方向に本体１を回転させる時に２つのパイプ巻付結合具の開放部６、７から棒状部材Ｂが同時に内側部分１０に挿入できるように、回転進行方向に２つのパイプ巻付結合具の開放部６、７が設置されていることが望ましい。
【００１７】
図５に示すような看板等の取付ける部品Ａを棒状部材Ｂに取付ける場合は、その部品Ａにパイプ巻付結合具を2つ以上設置し、取付けピン１１等により回転できる構造とすることが望ましい。
【００１８】
パイプ巻付結合具を物干し竿等の棒状部材に洗濯物を干すための器具等を吊り下げて取付ける場合（図６参照）、パイプ巻付結合具の連結部４にグリップ部１２を一体構造として構成し、そのグリップ部１２の下部に直接洗濯物を干すための器具等を直接取付けるか、取付けピン等を使用することにより回転できる状態にて洗濯物を干すための器具等を取付ける。棒状部材への取付けを容易にするためには、つまみ部１３、１４と、Ｃ字型巻付け部２、３の先端部８、９に、跳ね上げ部１５、１６を設けることが有効である。
【００１９】
本発明は、水道管、ガス管、標識等の支柱や横パイプ、園芸用鉄筋、ビニールハウス用パイプ、ホースから鉛筆に至まで、様々な棒状部材に摘要できる。
【図面の簡単な説明】
【００２０】
【図１】本発明の一実施形態に係るパイプ巻付結合具を２つ使用し、棒状部材に他の棒状部材を固定した状態の斜視図である。
【図２】図１のパイプ巻付結合具を２つ使用して、棒状部材に他の棒状部材を固定する前の状態の斜視図である。
【図３】パイプ巻付結合具を２つ使用し、棒状部材に他の棒状部材を固定できる状態の図で、（ａ）は平面図、（ｂ）は正面図である。
【図４】パイプ巻付結合具の側面図である。
【図５】パイプ巻付結合具を２つ使用し、棒状部材に看板等の取付ける部品を固定した状態の斜視図である。
【図６】パイプ巻付結合具を使用した一実施形態の図で、物干し竿に洗濯物を干すための器具を固定して取付けるための斜視図である。
【符号の説明】
【００２１】
１  本体
２、３  Ｃ字型巻付け部
４  連結部
５  空間部
６、７  開放部
８、９  先端部
１０  内側部分
１１  取付けピン
１２  グリップ部
１３、１４  つまみ部
１５、１６  跳ね上げ部
Ａ  取付けたい部品
Ｂ  棒状部材
Ｒ０  棒状部材Ｂの中心
Ｒ１  内径
Ｖ  棒状部材Ｂの中心Ｒ０と本体１の中心を通る直線
【図１】
2007020905.tif 000003
【図２】
2007020905.tif 000004
【図３】
2007020905.tif 000005
【図４】
2007020905.tif 000006
【図５】
2007020905.tif 000007
【図６】
2007020905.tif 000008